(57)【要約】【課題】仕切り部材は、美観を損なわずに、取付けに要する作業負荷を低減して、遮音を実現する。【解決手段】仕切り部材は、空間を仕切る仕切り本体と、前記仕切り本体に、所定の間隔で取り付けられる複数の遮音モジュールと、を備え、前記複数の遮音モジュールそれぞれは、前記仕切り本体に入射する妨害音を検知する参照マイクロフォンと、前記参照マイクロフォンによって検知された妨害音に基づいて、前記妨害音と打ち消し合うことによって前記妨害音を遮音する制御音を生成する制御部と、前記制御部によって生成された前記制御音を、前記妨害音が伝搬する方向に出力する制御スピーカーと、を含む。【選択図】図１
2017160756.tif 000002
【特許請求の範囲】
【請求項１】
空間を仕切る仕切り本体と、
前記仕切り本体に、所定の間隔で取り付けられる複数の遮音モジュールと、を備え、
前記複数の遮音モジュールそれぞれは、
前記仕切り本体に入射する妨害音を検知する参照マイクロフォンと、
前記参照マイクロフォンによって検知された妨害音に基づいて、前記妨害音と打ち消し合うことによって前記妨害音を遮音する制御音を生成する制御部と、
前記制御部によって生成された前記制御音を、前記妨害音が伝搬する方向に出力する制御スピーカーと、
を含むことを特徴とする仕切り部材。
【請求項２】
前記複数の遮音モジュールそれぞれは、
前記参照マイクロフォン、前記制御部、及び前記制御スピーカーが動作するための電力を供給する電源部を備えることを特徴とする請求項１に記載の仕切り部材。
【請求項３】
前記所定の間隔は、前記妨害音の音波の波長より短いことを特徴とする請求項１又は２に記載の仕切り部材。
【請求項４】
前記複数の遮音モジュールのうちの一部の第１の遮音モジュールは、前記参照マイクロフォンにより第１の範囲の周波数を有する音波の前記妨害音を検知し、前記制御スピーカーにより前記第１の範囲の周波数を有する第１の音波の前記制御音を出力し、
前記複数の遮音モジュールのうちの前記第１の遮音モジュールと異なる第２の遮音モジュールは、前記参照マイクロフォンにより前記第１の範囲とは異なる第２の範囲の周波数を有する音波の前記妨害音を検知し、前記制御スピーカーにより前記第２の範囲の周波数を有する第２の音波の前記制御音を出力することを特徴とする請求項１乃至３のいずれか一項に記載の仕切り部材。
【請求項５】
前記制御部は、
前記参照マイクロフォンによって検知された前記妨害音を第１の電気信号に変換する変換部と、
前記変換部によって変換された前記第１の電気信号の位相を反転して、所定の調整を行った第２の信号を生成する制御音生成部と、
実際の妨害音に相当する音声を用いて、前記音声が所定の強度にまで小さくなるよう遮音するよう、前記制御音生成部の設定値をあらかじめ調整する調整部と、を備え、
前記制御音生成部は、前記調整部によって調整された前記設定値に基づいて前記所定の調整を行うことによって前記第２の信号を生成し、
前記制御スピーカーは、前記制御音生成部によって生成された前記第２の信号が表す前記制御音を出力することを特徴とする請求項１乃至４のいずれか一項に記載の仕切り部材。
【請求項６】
前記遮音モジュールは、前記妨害音が入射する、前記仕切り本体の面内に等間隔に取り付けられることを特徴とする請求項１乃至５に記載の仕切り部材。
【請求項７】
前記仕切り本体は、開口部を有することを特徴とする請求項１乃至６に記載の仕切り部材。
【発明の詳細な説明】
【技術分野】
【０００１】
本発明は、妨害音を遮音する仕切り部材に関する。
【背景技術】
【０００２】
一般に、住宅等の建物には、建物の内側の空間と外側の空間とを仕切る建具、建物内の空間を実質的に分ける間仕切り等の仕切り部材が、二つの空間の境界に設置されている。ここでの、「実質的に」とは、人やある程度の大きさの物体の通り抜けはできないようにされているとの意味である。
【０００３】
建具、間仕切り等の仕切り部材は、実質的に分けられた二つの空間で相互に空気を流通させることが求められる場合がある。例えば、建具としての窓は通風という機能を実現する。また、間仕切りとしてのパーティションが空調機からの風をある程度通すことによって、室内の温度を効果的に調節できることが多い。また、これらの建具や間仕切りは、それらを通して向こう側がある程度見える透視性が求められることも多い。
【０００４】
さらに、建具や間仕切り等の部材により空間を実質的に分けることは遮音も目的としている。住宅において、たとえば窓は、外部の騒音が室内に侵入することを低減し、家屋内の生活を快適にする機能を担っている。建物内に設置されるパーティションは、建物内で交わされる会話で生じる音声をある程度遮ることによって、パーティションの両側の空間で別の打ち合わせを互いに気兼ねなく行えるようにする目的で設置されることが多い。
【０００５】
しかしながら、上述のような従来の建具、間仕切り等の部材を開口させて通風を確保しようとすると、建具、間仕切り等の仕切り部材によって遮られるべき妨害音が開口を通過する。そのため、通風と遮音とを同時に確保することは困難であった。
【０００６】
そこで、通風と遮音とを同時に確保するために、妨害音と逆位相の音を発生させて妨害音を打ち消すアクティブノイズコントロール（Active Noise Control:ANC）が考えられている（例えば、非特許文献１参照）。
【０００７】
一般に、アクティブノイズコントロールは一般に、フィードフォワード型とフィードバック型に分類される。
【０００８】
フィードフォワード型のアクティブノイズコントロールは、参照マイクロフォンで検出した妨害音に基づいて、参照マイクロフォンが向いている方向と反対方向に向いた制御スピーカーから制御音を発生させる。これによって、制御音は妨害音を干渉によって遮音する。フィードフォワード型のアクティブノイズコントロールで遮音の機能を実現するには、静粛にしたい場所で妨害音と制御音が干渉し合ったことにより実際に静粛になったかどうかを検出するエラーマイクロフォンがさらに必要である。エラーマイクロフォンで検出された干渉後の音声に基づいて、制御音の周波数スペクトル、振幅、および位相を適応的に変化させて妨害音を遮音する制御を行う。
【０００９】
一方、フィードバック型のアクティブノイズコントロールは、参照マイクロフォンを使用せず、あらかじめ妨害音をモデル化し、モデル化された妨害音を打ち消すような制御音を出力することによって遮音する。そのため、妨害音のモデル化が容易な狭帯域騒音及び周期音、音楽リスニング用ヘッドホンのように最終的に干渉後に生成されるべき音声信号が自明である音に対して有効である。
【００１０】
また、広帯域の音声を空間的に広く遮音しようとするには、フィードフォワード型のアクティブノイズコントロールとして、実質的に同一平面内に参照マイクロフォンと制御スピーカーとの組み合わせを複数、並列に並べたマルチチャネルアクティブノイズコントロールを行うことが知られている。このマルチチャネルフィードフォワード型では空間の人物や物体に遮られない場所にエラーマイクロフォンを複数設置しなければならない。また、エラーマイクロフォンの信号を遮音建具や遮音間仕切りまで導く配線などが必要になる。また、複数の遮音部材間の相互作用を考慮するために遮音部材間を結ぶ電気信号配線が必要になる。さらに、遮音部材が増えるにしたがって複数の遮音部材を関連させて制御する制御装置が複雑化する。
【００１１】
複数のエラーマイクロフォンを用いる場合に上述のような課題が発生するのに対して、特許文献１に記載の方法では、エラーマイクロフォンを備えずに、参照マイクロフォンで捉えた騒音（妨害音）の信号に対して位相を反転した制御音を制御スピーカーから発生させている。このように、特許文献１に記載の方法ではエラーマイクロフォンを省いたことにより単独の仕切り部材を用いて遮音と通風を両立させることができる。
【先行技術文献】
【特許文献】
【００１２】
【特許文献１】特開２０１０−１２１３９３号公報
【非特許文献】
【００１３】
【非特許文献１】西村正治、宇佐川毅、伊勢史郎著、「アクティブノイズコントロール」、コロナ社、２００６年６月
【発明の概要】
【発明が解決しようとする課題】
【００１４】
しかしながら、特許文献１に記載の方法では、制御スピーカーから発せられる制御音は参照マイクロフォンで検出された妨害音の位相を反転したものである。一般には、妨害音は仕切り部材自体によって遮られたり、回折されたりするので、妨害音は仕切り部材を通過した後では通過する前に対して変化する。したがって、参照マイクロフォンで検出された、仕切り部材を通過する前の妨害音の位相を反転させただけの制御音によって、仕切り部材を通過した後の妨害音を十分に遮音することができるとはいえない。
【００１５】
また、妨害音の発生源と仕切り部材との距離が妨害音の音波の波長より十分長い場合、妨害音は仕切り部材にほぼ平面波として入射する。しかし、制御スピーカーが制御音として出力する制御音の音波は球面波に近いものである。そのため、妨害音の位相を反転した、球面波状の制御音によって、平面波状の妨害音を十分に遮音することができるとはいえない。
【００１６】
また、参照マイクロフォンに妨害音が到達してから、該妨害音の位相を反転させることによって制御音を生成して出力するまでに時間を要するため、出力された制御音は妨害音に対して遅れることになる。そのため、遅れて出力された制御音によって妨害音を完全に遮音することはできない場合がある。
【００１７】
さらに、特許文献１に記載の仕切り部材は、該仕切り部材に取り付けられた複数の遮音モジュールを制御するための制御装置を備えており、さらに、制御装置が複数の遮音モジュールそれぞれに制御信号を送信するための通信ケーブルが配線されている。そのため、仕切り部材に窓孔を設けた場合、その一部が制御装置によって塞がれて、通風性及び透視性が損なわれる。また、複数の通信ケーブルが配線されることによって美観を損なう場合がある。また、複数の通信ケーブルを仕切り部材に配線するために作業負荷が発生する。
【００１８】
したがって、かかる点に鑑みてなされた本発明の目的は、美観を損なわずに、取付けに要する作業負荷を低減して、遮音を実現する仕切り部材を提供することにある。
【課題を解決するための手段】
【００１９】
本発明の一態様としての仕切り部材は、空間を仕切る仕切り本体と、前記仕切り本体に、所定の間隔で取り付けられる複数の遮音モジュールと、を備え、前記複数の遮音モジュールそれぞれは、前記仕切り本体に入射する妨害音を検知する参照マイクロフォンと、前記参照マイクロフォンによって検知された妨害音に基づいて、前記妨害音と打ち消し合うことによって前記妨害音を遮音する制御音を生成する制御部と、前記制御部によって生成された前記制御音を、前記妨害音が伝搬する方向に出力する制御スピーカーと、を含むことを特徴とするものである。
【００２０】
本発明の１つの実施形態として、前記遮音モジュールそれぞれは、前記参照マイクロフォン、前記制御部、及び前記制御スピーカーが動作するための電力を供給する電源部を備えることが好ましい。
【００２１】
本発明の１つの実施形態として、前記所定の間隔は、前記妨害音の音波の波長より短いことが好ましい。
【００２２】
本発明の１つの実施形態として、前記複数の遮音モジュールのうちの一部の第１の遮音モジュールは、前記参照マイクロフォンにより第１の範囲の周波数を有する音波の前記妨害音を検知し、前記制御スピーカーにより前記第１の範囲の周波数を有する第１の音波の前記制御音を出力し、前記複数の遮音モジュールのうちの前記第１の遮音モジュールと異なる第２の遮音モジュールは、前記参照マイクロフォンにより前記第１の範囲とは異なる第２の範囲の周波数を有する音波の前記妨害音を検知し、前記制御スピーカーにより前記第２の範囲の周波数を有する第２の音波の前記制御音を出力することが好ましい。
【００２３】
本発明の１つの実施形態として、前記制御部は、前記参照マイクロフォンによって検知された前記妨害音を第１の電気信号に変換する変換部と、前記変換部によって変換された前記第１の電気信号の位相を反転して、所定の調整を行った第２の信号を生成する制御音生成部と、実際の妨害音に相当する音声を用いて、前記音声が所定の強度にまで小さくなるよう遮音するよう、前記制御音生成部の設定値をあらかじめ調整する調整部と、を備え、前記制御音生成部は、前記調整部によって調整された前記設定値に基づいて前記所定の調整を行うことによって前記第２の信号を生成し、前記制御スピーカーは、前記制御音生成部によって生成された前記第２の信号が表す前記制御音を出力することが好ましい。
【００２４】
本発明の１つの実施形態として、前記遮音モジュールは、前記妨害音が入射する、前記仕切り本体の面内に等間隔に取り付けられることが好ましい。
【００２５】
本発明の１つの実施形態として、前記仕切り本体は、開口部を有することが好ましい。
【発明の効果】
【００２６】
本発明によれば、美観を損なわずに、取付けに要する作業負荷を低減して、遮音を実現することができる。
【図面の簡単な説明】
【００２７】
【図１】本実施形態の仕切り部材の例を示す図である。
【図２】図１に示す仕切り部材が住宅に設置される態様の例を示す図である。
【図３】本実施形態に係る遮音モジュールの機能構成を示す機能ブロック図である。
【図４】本実施形態に係る第１の信号、第２の信号、及び第３の信号の例を示す図である。
【図５】妨害音と制御音との干渉の例を表す模式図である。
【発明を実施するための形態】
【００２８】
以下、本発明の実施形態について図面を参照して説明する。
【００２９】
図１に示すように、仕切り部材１は、仕切り本体２及び複数の遮音モジュール３を備える。
【００３０】
仕切り本体２は、空間を仕切る部材であり、例えば、建物の内側の空間と外側の空間とを仕切る建具、建物内の空間を実質的に分けて使用するために仕切る間仕切り等である。仕切り本体２は、例えば、図２に示すような建物の窓の内側に取り付けることができる。その場合、図１に示すように、仕切り本体２は、枠材２１、桟材２２、及び開口部２３を備える。仕切り本体２が開口部２３を備えることによって、該仕切り本体２が仕切る空間の内側と外側とを通風させることができる。なお、仕切り本体２は開口部２３を備えず、これにより通風性を有さないものであってもよい。
【００３１】
枠材２１は、仕切り本体２の最も外側に配置される部材であり、仕切り本体２の形状を画定する。桟材２２は、枠材２１の内側に所定の間隔で配置される部材である。図１に示す例では、桟材２２は、水平方向に所定の間隔で配置されているが、例えば、垂直方向に所定の間隔で配置されてもよいし、斜め方向に所定の間隔で配置されてもよい。
【００３２】
遮音モジュール３は、仕切り本体２に所定の間隔で設置される。ここで、所定の間隔とは、妨害音として伝搬する音波の波長より短い間隔である。妨害音とは、仕切り部材１の外側又は内側で発生して、それぞれ内側又は外側への伝搬を遮るべき音である。また、図１に示す複数の遮音モジュール３は格子状に配列するように設置されるが、例えば、蜂の巣状に配列するよう設置されてもよい。
【００３３】
また、複数の遮音モジュール３は、仕切り本体２の外形が平板状である場合、仕切り本体２において妨害音が入射する面内におよそ等間隔に取り付けられることが好ましい。例えば、仕切り本体２に入射する妨害音が高音である傾向にある環境に設置される場合、低音である傾向にある環境に設置される場合に比べて、遮音モジュール３は短い間隔で取り付けられる。
【００３４】
また、遮音モジュール３は、妨害音の発生源の位置にほぼ変動がなく、かつ遮音効果を及ぼすべき場所が限定されている場合は、妨害音の発生源の位置から見て遮音効果を及ぼす必要がない場所に向かう線上にある仕切り本体２の部分には遮音モジュール３の配置を省略してもよい。また、仕切り本体２が建具の場合、妨害音の発生源が屋外にあって建具からの距離が無限遠とみなせる場合、建具の天井又は床に近い部分には遮音モジュール３の配置を省くことができる。
【００３５】
図３に示すように、遮音モジュール３は、参照マイクロフォン３１、制御スピーカー３２、制御部３３、設定値記憶部３４、及び電源部３５を備える。
【００３６】
参照マイクロフォン３１は、仕切り本体２に入射する妨害音を検知する。参照マイクロフォン３１を備える遮音モジュール３は、妨害音が入射してくる方向に参照マイクロフォン３１を向けるように、図１に示す仕切り本体２に設置される。
【００３７】
また、図３に示すように、制御部３３は、変換部３３１、制御音生成部３３２、調整部３３３を備え、参照マイクロフォン３１によって検知された妨害音に基づいて、妨害音と打ち消し合うことによって該妨害音を遮音する制御音を生成する。
【００３８】
制御スピーカー３２は、制御音生成部３３２によって生成された、追って詳細に説明する第２の電気信号に基づいて制御音を出力する。制御スピーカー３２を備える遮音モジュール３は、妨害音が仕切り本体２を通過して向かう方向に制御スピーカー３２を向けるように仕切り本体２に設置される。すなわち、制御スピーカー３２は、参照マイクロフォン３１が向く方向と反対の方向を向くように取り付けられる。
【００３９】
変換部３３１は、妨害音の音波を、図４に例として示すような第１の電気信号に変換する。変換部３３１は、アナログ方式によって変換してもよいし、デジタル方式によって変換してもよいが、信号処理の自由度が高いため、デジタル方式によって変換するのが好ましい。この場合、変換部３３１は、マイクロプロセッサ、ＤＳＰ（Digital SignalProcessing）、ＦＰＧＡ（Field Programmable Gate Array）等により実現される。
【００４０】
制御音生成部３３２は、変換部３３１によって変換された、妨害音を表す第１の電気信号に基づいて、制御スピーカー３２に出力させる制御音を表す第２の電気信号を生成する。具体的には、制御音生成部３３２は、図４に例として示す第１の電気信号と位相を反転して、所定の調整を行った第２の電気信号を生成する。第１の電気信号と第２の電気信号とが干渉すると、干渉によって発生する音を表す第３の電気信号の振幅は第１の電気信号の振幅より小さくなる。すなわち、第１の電気信号によって表される妨害音の伝播方向に、制御スピーカー３２が第２の電気信号によって表される制御音を出力すると、妨害音を小さくする（以降、「遮音する」という）ことができる。
【００４１】
ここで、妨害音と制御音との干渉について、図５を参照して詳細に説明する。図５に示す例においては、仕切り本体２に平面波状の妨害音が入射している。仕切り本体２の面内に所定の間隔での位置ｐ１，ｐ２，・・・・，ｐｌ，・・で観測される妨害音の音波の振幅をそれぞれＡ１，Ａ２，・・，Ａｌ，・・・とする。また、妨害音の音波を観測する位置と同一の位置ｐ１，ｐ２，・・・・，ｐｍ，・・で制御スピーカー３２から出力される制御音の音波の振幅をＢ１，Ｂ２，・・，Ｂｍ，・・・とする。このとき、重ね合わせの原理により、妨害音と制御音との干渉による音の音波の振幅ａｍｐは、次の式（１）によって表される。
【００４２】
【数１】
2017160756.tif 000003
【００４３】
所定の間隔で妨害音が入射する面内に、妨害音の波長より短い間隔で取り付けられた複数の遮音モジュール３がそれぞれ備える制御スピーカー３２が、対応する参照マイクロフォン３１によって検出された妨害音に基づいて制御音を出力すると、それぞれの制御スピーカー３２から出力された制御音が干渉する。そのため、妨害音が平面波状であっても、式（１）によって表される妨害音と制御音との干渉による音の振幅ａｍｐを低減することができる。すなわち、複数の制御スピーカー３２は、それぞれの制御スピーカー３２に係る遮音モジュール３が備える制御部３３によって制御されるので、複数の制御スピーカー３２の全てを一括して制御する制御装置は不要である。
【００４４】
また、制御音生成部３３２は、第１の電気信号と逆位相の電気信号から、仕切り本体２による音声の遮蔽、回折等の影響を鑑みた所定のアルゴリズムを用いて調整することによって、第２の電気信号を生成する。ここで、所定のアルゴリズムは、調整部３３３によって設定値を調整することができるものである。
【００４５】
また、制御音生成部３３２は、アナログ方式によって制御音を生成してもよいし、デジタル方式によって制御音を生成してもよいが、信号処理の自由度が高いため、デジタル方式によって変換するのが好ましい。この場合、変換部３３１は、マイクロプロセッサ、ＤＳＰ、ＦＰＧＡ等により実現される。
【００４６】
調整部３３３は、制御音生成部３３２が第１の電気信号を反転した信号を調整するためのアルゴリズムの設定値を調整する。具体的には、調整部３３３は、遮音モジュール３を備えた仕切り部材１が住宅に設置された後であって遮音モジュール３が運用を開始する前に、制御音生成部３３２による制御音が妨害音との干渉によって形成される音が所望の状態となるように設定値を調整する。
【００４７】
例えば、調整部３３３は、参照マイクロフォン３１に入力された妨害音に相当する音声と、該音声に基づいて制御スピーカー３２によって出力された制御音とが干渉した音が最も小さくなるように設定値を調整する。また、調整部３３３は、入射する妨害音を回折させる仕切り本体２の形状、妨害音の特性等に基づいて制御音の生成アルゴリズムに用いられる設定値を調整してもよい。
【００４８】
また、調整部３３３は、仕切り本体２又は遮音モジュール３に別途設けられたエラーマイクによって検出した妨害音と制御音との干渉による音を検出してフィードフォワード型アクティブノイズコントロール装置と同様の方法により、制御音生成部３３２が制御音を出力するように設定値を調整してもよい。
【００４９】
設定値記憶部３４は、調整部３３３によって調整された設定値を記憶する。
【００５０】
電源部３５は、参照マイクロフォン３１、制御スピーカー３２、制御部３３、及び設定値記憶部３４が機能するための電力を供給する。電源部３５は、該電源部３５自体が電力を発生させる任意の公知の電源とすることができ、例えば、電池である。また、遮音モジュール３は、電源部３５を備えず、外部から電力を供給され、供給された電力を参照マイクロフォン３１、制御スピーカー３２、制御部３３、及び設定値記憶部３４に供給する電力インターフェースであってもよい。遮音モジュール３が電力インターフェースではなく、電源部３５を備える場合、外部から電力の供給を受けるための配線が不要となる。これにより、仕切り部材１は、外観を損ねることがなく、配線設置に係る工数を削減することができる。
【００５１】
複数の遮音モジュール３は全て同じ参照マイクロフォン３１及び制御スピーカー３２を備えてもよいが、複数の遮音モジュール３には異なる種類の遮音モジュールが含まれてもよい。例えば、複数の遮音モジュール３のうちの一部である第１の遮音モジュール３ａは、低い音域、例えば１００Ｈｚ以下の低い周波数域（第１の範囲の周波数）を有する音波（第１の音波）による妨害音を検知する低音用の参照マイクロフォン３１ａ（第１の参照マイクロフォン）と、低い音域の音波の制御音を出力する制御スピーカー３２ａ（第１の制御スピーカー）とを備える。複数の遮音モジュール３のうちの第１の遮音モジュール３ａでない第２の遮音モジュール３ｂは、高い音域、例えば２ｋＨｚ程度の高い周波数域（第２の範囲の周波数）を有する音波（第２の音波）による妨害音を検知する高音用の参照マイクロフォン３１ｂ（第２の参照マイクロフォン）と、高い音域の音波の制御音を出力する制御スピーカー３２ｂ（第２の制御スピーカー）とを備える。
【００５２】
低音用である第１の遮音モジュール３ａは、低い周波数の音波の波長より短い間隔で仕切り本体２に取り付けられ、高音用である第２の遮音モジュール３ｂは、高い周波数の音波の波長より短い間隔で仕切り本体２に取り付けられる。低い周波数の音波の波長は、高い周波数の音波の波長より長いため、第１の遮音モジュール３ａ同士の間隔は第２の遮音モジュール３ｂ同士の間隔より広く取り付けられることになる。例えば、第２の遮音モジュール３ｂは、図１に示す一つの桟材２２に３つ以上取り付けられ、第１の遮音モジュール３ａは、仕切り本体２の一の端部と、反対側の端部とに１つずつ取り付けられる。これにより、参照マイクロフォン３１及び制御スピーカー３２の特性に制限がある場合、例えば、処理の対象となる音域が限られている場合も、それぞれの特性を有効に活用し、最低限の個数の遮音モジュール３を用いて効果的に遮音を実現することができる。
【００５３】
以上のように、本実施形態では、仕切り本体２に、所定の間隔に取り付けられる複数の遮音モジュール３を備え、遮音モジュール３それぞれは、仕切り本体２に入射する妨害音を検知する参照マイクロフォン３１と、参照マイクロフォン３１によって検知された妨害音に基づいて、打ち消し合うことによって妨害音を遮音する制御音を生成する制御部３３と、制御部３３によって生成された制御音を、妨害音が伝搬する方向に出力する制御スピーカー３２と、を備えるため、複数の遮音モジュール３間で信号を送受信するための通信ケーブルを配線したり、複数の遮音モジュール３を制御するための制御装置を設置したりすることが不要となる。したがって、例えば、制御装置を設置するために仕切り部材１の開孔をふさぐ必要がなく通風性を損なわない。また、仕切り部材１の外観を美しく形成することができる。さらに、通信ケーブルを配線したり、制御装置を設置したりするのに要する作業負荷を削減することができる。
【００５４】
また、妨害音に相当する音声を用いて、音声が所定の強度にまで小さくなるよう遮音するよう、制御音生成部３３２の設定値を調整する調整部３３３を備え、制御音生成部３３２は、調整部３３３によって調整された設定値に基づいて第２の電気信号を生成する。そのため、仕切り部材１が設置された環境での妨害音の遮蔽及び回折の影響を鑑みて第２の信号を生成するため、よりよい遮音効果を得ることができる。さらに、参照マイクロフォン３１に妨害音が到達してから、該妨害音の位相を反転させることによって制御音を生成して出力するまでにかかる時間による制御音の遅れを補正することができ、よりよい遮音効果を得ることができる。
【００５５】
また、本実施形態では、遮音モジュール３はそれぞれ電源部３５を備え、該電源部３５自体が電力を発生させるため、外部から電源部３５に電力を供給するための電源ケーブル等を必要とせず、そのため、仕切り部材１の外観を美しく形成することができる。
【００５６】
また、本実施形態では、各遮音モジュール３はそれぞれ参照マイクロフォン３１と制御スピーカー３２とを備え、妨害音が入射する仕切り本体２の面内に等間隔に取り付けられる。そのため、各遮音モジュール３が備える参照マイクロフォン３１それぞれは、音源が遠くにあって仕切り本体２に到達したときには平面波状となる妨害音を検出し、制御スピーカー３２が制御音を出力する。これにより、複数の遮音モジュール３が備えるそれぞれの参照マイクロフォン３１によって検出した妨害音に基づいて複数の制御スピーカー３２が独立に出力した制御音が互いに干渉して、平面波状で入射して仕切り本体２によって回折する妨害音を適切に遮音することができる。
【００５７】
また、本実施形態では、仕切り本体２を窓の内側に設置される部材としたが、この限りではない。例えば、仕切り本体２は、ルーバーとしてもよい。この場合、ルーバーを構成する細長い板である羽板に上述のように遮音モジュール３を取り付ける。
【００５８】
また、仕切り本体２は、エコキュート（登録商標）等の電気給湯機の筺体であるとしてもよい。この場合、電気給湯機の筺体に遮音モジュール３を取り付ける。これにより、電気給湯器を構成するヒートポンプ、コンプレッサー等が動作することによって発生する妨害音が筺体の外に出力されるのを低減することができる。
【００５９】
また、仕切り本体２は、例えば、トイレと、建物の外の空間とを仕切る窓としてもよい。この場合、図２に示す例と同様に、遮音モジュール３は窓の枠材２１、桟材２２等に取り付けられる。これにより、トイレで発生する音が建物の外に漏れるのを低減することができる。
【００６０】
また、図２に例を示す、仕切り本体２の例として居室と、建物の外の空間とを仕切る窓は、一戸建ての建物に設置される窓であってもよいし、集合住宅の建物に設置される窓であってもよい。これにより、住宅に隣接する道路から発生した妨害音、隣接する別の住宅の窓から出た妨害音等を低減することができる。
【００６１】
また、仕切り本体２の例としての窓を二重にして住宅に設置してもよい。この場合、二重に設けられた窓のうちの外側の窓の内側の部材に取り付けられた遮音モジュール３が、外部から住宅に入射する音声を遮音し、さらに、内側の窓のさらに内側に取り付けられた遮音モジュール３が外側の窓の内側の部材に取り付けられた遮音モジュール３による遮音で小さくなった音をさらに遮音する。
【００６２】
また、仕切り本体２は、工事用遮音シートとしてもよい。住宅を建設又は解体するための工事、電気、水道、ガス等の設備を敷設、修繕、又は撤去する工事において妨害音が発生する場合がある。そのため、作業場所を囲むようにして、遮音モジュール３が取り付けられた工事用遮音シートを設置する。この場合、工事で発生する妨害音が作業場所の外に漏れるのを低減することができる。
【００６３】
また、仕切り本体２は、給気口としてもよい。この場合、給気口の外枠、桟等に遮音モジュール３を取り付ける。これにより、住宅の外部で発生し、給気口を介して住宅内に入射した妨害音を遮音することができる。
【００６４】
また、仕切り本体２は、吹き付けコンプレッサーのカバーとしてもよい。この場合、遮音モジュール３はカバーに取り付けられる。これにより、吹き付けコンプレッサーがその動作時に発生する妨害音がカバーの外に漏れるのを低減することができる。
【００６５】
また、仕切り本体２は、病院内の複数の患者が滞在する病室において、患者同士のスペースを区切るためのカーテンとしてもよい。この場合、遮音モジュール３はカーテンに取り付けられる。これにより、病室内の一のスペースに滞在する患者が発生する、例えば鼾等の妨害音が隣のスペースに入射する場合、妨害音を遮音することができ、他の患者は静かに生活をすることができる。
【００６６】
また、仕切り本体２は、音楽教室の間仕切りとしてもよい。この場合、遮音モジュール３は間仕切りの枠材２１、桟材２２等に取り付けられる。これにより、間仕切りで仕切られた一のスペースで発生した妨害音が隣のスペースに入射する場合、入射した妨害音は遮音されるため、隣のスペースでは一のスペースで発生した妨害音にて自らが発する音が聞き取りにくくなるという問題が少なくなる。
【００６７】
上述の実施形態及び実施例は代表的な例として説明したが、本発明の趣旨及び範囲内で、多くの変更及び置換ができることは当業者に明らかである。したがって、本発明は、上述の実施形態及び実施例によって制限するものと解するべきではなく、特許請求の範囲から逸脱することなく、種々の変形や変更が可能である。例えば、実施形態に記載の複数の構成ブロックを１つに組み合わせたり、あるいは１つの構成ブロックを分割したりすることが可能である。
【符号の説明】
【００６８】
１      仕切り部材
２      仕切り本体
３      遮音モジュール
２１    枠材
２２    桟材
２３    開口部
３１    参照マイクロフォン
３２    制御スピーカー
３３    制御部
３４    設定値記憶部
３５    電源部
３３１  変換部
３３２  制御音生成部
３３３  調整部
【図１】
2017160756.tif 000004
【図２】
2017160756.tif 000005
【図３】
2017160756.tif 000006
【図４】
2017160756.tif 000007
【図５】
2017160756.tif 000008